(57)【要約】      （修正有）【課題】扉の閉じ動作に伴って自動的にロックされて扉の開きを防止できる扉の開き防止具を提供する。【解決手段】扉７ａに取り付けられる第１の部材３と、扉７ａに隣接する構造体７ｂに取り付けられる第２の部材４とからなり、それぞれの部材３、４の一方がロック機構１６を有する嵌合穴１５を備えるとともにロック機構１６によるロック状態の解除操作機構１６を備え、それぞれの部材３、４の他方が突起４０を備え、扉７ａが閉じられる状態で一方の部材３の嵌合穴１５に他方の部材４の突起４０が嵌合してロックされる扉の開き防止具。【選択図】図２
0003181193.tif 000002
【実用新案登録請求の範囲】
【請求項１】
扉に取り付けられる第１の部材と、前記扉に隣接する構造体に取り付けられる第２の部材とからなり、
前記それぞれの部材の一方がロック機構を有する嵌合穴を備えるとともに前記ロック機構によるロック状態の解除操作機構を備え、
前記それぞれの部材の他方が突起を備え、
前記扉が閉じられる状態で前記一方の部材の前記嵌合穴に前記他方の部材の前記突起が嵌合してロックされることを特徴とする扉の開き防止具。
【請求項２】
前記構造体が前記扉に合わせ使用される扉である請求項１記載の扉の開き防止具。
【考案の詳細な説明】
【技術分野】
【０００１】  この考案は、家具等において使用される扉の開き防止具に関する。
【背景技術】
【０００２】  強い地震が発生した場合には家具の扉が開き内部の収納物が飛び出し、非常に危険であるとともに、その後片付けに手間がかかり、とくに両開き扉の場合に開きやすい。その対策として、例えば、両開き扉の前面の開き縁の両側に係止片とそれが係止される係止具とを取り付け、扉を閉じた状態において係止片を係止具にかけることで扉の開きを防止することが行われている。
【考案の概要】
【考案が解決しようとする課題】
【０００３】  上記の両開き扉の開き防止構造の場合、扉の開きを防止するには係止片を係止具にかける動作が必要となって手間がかかり、とくに、家具内から取り出した物品を手に持っている場合にはその係止作業が煩わしいものとなった。【０００４】  この考案は上記の点に鑑みて行ったもので、扉の閉じ動作に伴って自動的に扉をロックしてその開きを防止できるようにすることを目的とする。
【課題を解決するための手段】
【０００５】  この考案では、扉に取り付けられる第１の部材と、前記扉に隣接する構造体に取り付けられる第２の部材とからなり、前記それぞれの部材の一方がロック機構を有する嵌合穴を備えるとともに前記ロック機構によるロック状態の解除操作機構を備え、前記それぞれの部材の他方が突起を備え、前記扉が閉じられる状態で前記一方の部材の前記嵌合穴に前記他方の部材の前記突起が嵌合してロックされることを特徴とする扉の開き防止具を提供する。【０００６】  上記構成によれば、扉に第１の部材が扉に隣接する構造体に第２の部材がそれぞれ取り付けられて、扉が閉じられると、一方の部材の嵌合穴に他方の部材の突起が嵌合してロックされ、扉の開きが防止される。扉を閉じる動作のみで自動的にロックされて扉の開きが防止される。【０００７】  扉に隣接する構造体は扉枠の他に扉に合わせ使用される扉であってよく、その場合は両開き扉の開き防止具となる。
【考案の効果】
【０００８】  この考案によれば、扉の閉じ動作に伴って自動的にロックされて扉の開きを防止できるようになり、ロックのための手間がかからないので非常に便利である。
【図面の簡単な説明】
【０００９】
【図１】この考案の両開き扉の開き防止具のロック時の取り付け状態を示す斜視図
【図２】この考案の両開き扉の開き防止具の非ロック時の取り付け状態を示す斜視図
【図３】この考案の両開き扉の開き防止具の側面図
【図４】この考案の両開き扉の開き防止具の内部構成を示す断面図
【図５】この考案の両開き扉の開き防止具の操作プレートの斜視図
【図６】この考案の両開き扉の開き防止具の操作プレートの側面図
【図７】この考案の両開き扉の開き防止具の台座の斜視図
【図８】この考案の両開き扉の開き防止具の台座の平面図
【図９】この考案の両開き扉の開き防止具のロック動作の説明図
【図１０】この考案の両開き扉の開き防止具のロック動作の説明図
【図１１】この考案の両開き扉の開き防止具のロック動作の説明図
【図１２】この考案の両開き扉の開き防止具のガイド部材の斜視図
【図１３】この考案の両開き扉の開き防止具のガイド部材の側面図
【図１４】この考案の両開き扉の開き防止具のガイド部材の使用説明図
【図１５】この考案の両開き扉の開き防止具の本体部の背面図
【考案を実施するための形態】
【００１０】  図１はこの考案の両開き扉の開き防止具のロック時の取り付け状態を示す斜視図、図２は同非ロック時の取り付け状態を示す斜視図、図３は両開き扉の開き防止具の側面図、図４は同内部構成を示す断面図である。
【００１１】  両開き扉の開き防止具１は金属製で本体部（第１部材）３と台座４（第２部材）とからなり、それぞれは両開き扉の開き縁５において両方の扉７ａ、７ｂそれぞれの互いに隣接する表面８、８上に裏面が両面テープ等により貼り付けられて使用される。
【００１２】  本体部３前面は格子９構成で、裏面側に段部１０を備えることでその一方側部１２と他方側部１３とがその厚み寸法を異にしている。厚み寸法が小さい一方側部１２には方形の嵌合穴１５が表裏を連通するように設けられ、その内部空間１４には操作プレート１６（ロック機構、ロック状態の解除操作機構）が装着されている。
【００１３】  操作プレート１６は、図５、図６に示すように、上記嵌合穴１５に相対配置される方形の係止開口１９を備えるとともに表裏の両面にスライド移動用の凸条２０と凹条２１とを２本づつ備え、それらが一方側部１２の内部空間１４の内面の対応する位置に設けられた凹条と凸条とにそれぞれ合致される状態においてスライド移動可能に設けられている。
【００１４】  さらに、操作プレート１６は先端側の両端に一方側部１２の側壁内面に係止する係止部２３、２３を備え、先端側の中央が一方側部１２の内部空間１４の奥部に設けられたコイルバネ２５に押されることで外方に付勢されている。操作プレート１６は一方側部１２の端部に設けられた装着開口３０より内部に差し入れられて装着され、装着された状態においてその端部を押し込み操作部３２として装着開口３０から外部に突出させている。装着に際しては、内側に溝３５、３５それぞれがあることで係止部２３、２３それぞれが溝３５、３５側に変位し、これにより装着開口３０より差し入れることができ、装着後は係止部２３、２３が弾力的に復帰して側壁内面に係止する。係止部２３、２３が係止することで操作プレート１６は装着開口３０から外方に離脱することはない。
【００１５】  台座４は、図７、図８に示すように、その表面の中央にロック用の突起４０を一体に備え、ロック時においてはその突起４０を上記嵌合穴１５、係止開口１９に嵌合させる状態において一方側部１２の下方に配置される。突起４０には斜面４１を持つ係止凸部４２が一体に設けられている。また、前面の４か所には位置決め穴４５のそれぞれが設けられている。
【００１６】  以下、動作説明を行う。図２の状態から本体部３の取り付けられた扉７ａが閉じられることで、開き防止具１は図１のロック状態となって両扉７ａ、７ｂは閉じ状態に固定される。
【００１７】  図９は上記の扉７ａが閉じられる際における扉７ａが扉７ｂに接近した状態で、この位置からさらに扉７ａが閉じられることで台座４の突起４０が後方から本体部３の嵌合穴１５内に入り、図１０に示すように、係止凸部４２の傾斜面４１が操作プレート１６の係止開口１９の一方の傾斜縁部１９ａに当たり、さらに、突起４０が入り込むのに伴って傾斜面４１が傾斜縁部１９ａを押し、傾斜縁部１９ａが押されることで操作プレート１６はコイルバネ２５のバネ力に抗して本体部３の奥側に変位する。これにより係止凸部４２が傾斜縁部１９ａを越え、コイルバネ２５のバネ力で操作プレート１６が元の位置に復帰し、図１１に示すように、係止凸部４２が操作プレート１６の係止開口１９の一方の縁面１９ｂに係止可能となる。上記の一連動作は扉７ａを閉じる動作において自動的になされる。
【００１８】  この状態において扉７ａが開かれようとして突起４０に抜き方向に力が働いても、係止凸部４２が縁面１９ｂに係止することで突起４０は嵌合穴１５から抜き出されずロック状態となり、両扉７ａ、７ｂは閉じ状態に固定される。
【００１９】  ロック状態の解除は、ロック操作プレート１６の押し込み操作部３２を押し込むことで行い、押し込むことで操作プレート１６がコイルバネ２５のバネ力に抗して本体部３の奥側に変位し、係止凸部４２が縁面１９ｂから外れ後退することでロック状態が解除され、突起４０が嵌合穴１５から抜き出せる状態となる。
【００２０】  上記のロック動作とその解除動作とが支障なく行われるには、扉７ａの開閉に際して嵌合穴１５に突起４０がスムーズに入り込み、かつ、抜き出される必要があり、そのためには本体部３と台座４とが扉７ａ、７ｂそれぞれの所定の位置に精度良く取り付けられなければならない。その取り付けは図１２、図１３で示す位置決め用のガイド部材５０を使用して行われる。
【００２１】  ガイド部材５０は樹脂製で円形環状であり、その両面の対応する４が所の位置に位置決め突起５１…のそれぞれが設けられている。図１４はその使用状態を示し、ガイド部材５０は位置決め突起５１のそれぞれが台座４の上面設けられた４個の位置決め穴４５…と、図１５に示すように本体部３の一方側部１２の後面に設けられた４個の位置決め穴５２…それぞれに嵌合され、台座４と本体部３の一方側部１２との間に挟まれる状態で配置される。
【００２２】  そのガイド部材５０を介して台座４と本体部３とが一体とされた状態において、嵌合穴４０に突起１５が位置ずれすることなく正確に嵌合するようにガイド部材５０における位置決め突起５１と本体部３と台座４との位置決め穴５２…、４５…とが設計配置されている。その一体とされた状態において裏面が貼り付けられて閉じられた状態の両扉７ａ、７ｂ表面に取り付けられ、その取り付け後にガイド部材５０は取り外される。したがって、取り付け後において扉７ａの開閉に際して嵌合穴１５に突起４０がスムーズに入り込み、かつ、抜き出される。このようにして、容易に、かつ、精度良く両扉７ａ、７ｂ表面の所定の位置に取り付けられる。
【符号の説明】
【００２３】１    両開き扉の開き防止具
３    本体部（第１の部材）
４    台座（第２の部材）
１５  嵌合穴
１６  操作プレート  （ロック機構、ロック状態の解除操作機構）
４０  突起
【図１】
0003181193.tif 000003
【図２】
0003181193.tif 000004
【図３】
0003181193.tif 000005
【図４】
0003181193.tif 000006
【図５】
0003181193.tif 000007
【図６】
0003181193.tif 000008
【図７】
0003181193.tif 000009
【図８】
0003181193.tif 000010
【図９】
0003181193.tif 000011
【図１０】
0003181193.tif 000012
【図１１】
0003181193.tif 000013
【図１２】
0003181193.tif 000014
【図１３】
0003181193.tif 000015
【図１４】
0003181193.tif 000016
【図１５】
0003181193.tif 000017